(57)【要約】【課題】安定な操作が得られるプッシュオンスイッチを提供すること。【解決手段】本考案のプッシュオンスイッチは、収納スロットが形成される絶縁性本体と、該絶縁性本体に固定され、一対の外側接触部を含む第１固定端子と、中央接触部を含む第２固定端子と、可動端子と、水平方向に押圧操作する操作子と、押圧部と、絶縁性本体に取り付けられる蓋体と、を備える。可動端子は、一対の外側接触部を接触する側部と、中央接触部より上に配置される頂点部と、を有する。押圧部は、可動端子と操作子の間に配置され、操作子に押し込まれることによって、可動端子の頂点部を押圧できる。前記可動端子の頂点部は、操作子に押し込まれる押圧部が押圧されることによって、第２固定端子の中央接触部を接触する。【選択図】図２
0003131075.tif 000002
【実用新案登録請求の範囲】
【請求項１】
収納スロットが形成される絶縁性本体と、
該絶縁性本体に固定され、一対の外側接触部を含む第１固定端子と、
該絶縁性本体に固定され、中央接触部を含む第２固定端子と、
該対の外側接触部と接触する側部と、中央接触部の上方に配置される頂点部と、を有する可動端子と、
水平方向に押圧操作する操作子と、
可動端子と操作子の間に配置され、前記操作子により押し込まれて可動端子の頂点部を押圧できる押圧部と、
前記絶縁性本体に取り付けられる蓋体と、を備えるプッシュオンスイッチにおいて、
前記可動端子の頂点部は、前記操作子により押し込まれる押圧部が押圧されることによって、第２固定端子の中央接触部と接触することを特徴とするプッシュオンスイッチ。
【請求項２】
前記押圧部は、
板状部と、
板状部から上向きに折り曲げられて操作子に押し込まれる当接部と、
板状部の下表面から突出して可動端子の頂点部を押圧できる凸状部片と、を有する特徴とする、請求項１に記載のプッシュオンスイッチ。
【請求項３】
前記第１及び第２固定端子には、それぞれ、一対の半田接続部が設けられ、
前記絶縁性本体は、底壁と、底壁から延在する前壁と、後壁と、一対の側壁と、を有し、
前壁と後壁の底部には、それぞれ、一対の前記等半田接続部が半田されて形成される溶接剤を収納する溝部が形成されることを特徴とする、請求項２に記載のプッシュオンスイッチ。
【請求項４】
前記絶縁性本体の前壁と後壁には、それぞれ、開口部と、定位スロットと、が形成されることを特徴とする、請求項３に記載のプッシュオンスイッチ。
【請求項５】
前記開口部より下には突出部が設けられ、
前記押圧部には、突出部を係合する係合スロットが形成される折り曲げ部が設けられることを特徴とする、請求項４に記載のプッシュオンスイッチ。
【請求項６】
前記操作子は、
収納スロットに収納される本体部と、
絶縁性本体の開口部から外向きに延在する操作部と、
本体部の後端に設けられる一対の突出部と、
該一対の突出部の間に設けられて当接部を押し込むことができる中間部と、を有することを特徴とする、請求項４に記載のプッシュオンスイッチ。
【請求項７】
前記押圧部の当接部には第１斜面が設けられ、
前記操作子の中間部は、当接部の前記第１斜面と係合する第２斜面を含むことを特徴とする、請求項６に記載のプッシュオンスイッチ。
【請求項８】
前記蓋体には、
頂壁と、
前記頂壁から下向きに延在して絶縁性本体の定位スロット内に嵌め込まれる定位部と、が設けられることを特徴とする、請求項４に記載のプッシュオンスイッチ。
【請求項９】
前記絶縁性本体の前壁と後壁には複数の係合部が設けられ、
前記蓋体には、複数の前記係合部と係合する係合穴が形成される、複数の延在壁が設けられることを特徴とする、請求項８に記載のプッシュオンスイッチ。
【考案の詳細な説明】
【技術分野】
【０００１】
本考案は、各種電子機器に使用された回路基板に対して水平方向に押圧して操作するプッシュオンスイッチに関するものである。
【背景技術】
【０００２】
従来技術のプッシュオンスイッチとして、特許文献１に開示されたプッシュオンスイッチが知られ、このプッシュオンスイッチは、ケースと、ケースから導出された第１端子と、第２端子と、頂点部を含むドーム状の可動接点と、絶縁シートと、押圧部が設けられる操作子と、規制部が設けられる蓋体と、を備える。第１端子には、一対の第１接触部が設けられる。第２端子には、中央端子が設けられる。可動端子は、第１接触部を接触する。操作子は、可動接点より上に配置され、蓋体の規制部を接触する。絶縁シートは、可動接点と絶縁シートの間に装入される。使用された時、該操作子は前方に向かって押圧される。操作子の押圧部は、規制部を接触し、規制部に案内されることによって、下向きに移動する。可動端子の頂点部は、下向きに移動した押圧部に押圧されることによって、第２端子の中央接点と接触する。これにより、第１、第２端子は、可動端子によって電気接続される。
【特許文献１】日本特開２００５−５６７８４号明細書
【考案の開示】
【考案が解決しようとする課題】
【０００３】
特許文献１に示すプッシュオンスイッチは、押圧された操作子の押圧部は、可動接点を押圧するため、下向きに移動する必要がある。これにより、該スイッチは、安定な操作を得られない。
【０００４】
そこで本考案は、上述の従来技術の問題に鑑み、安定な操作が得られるプッシュオンスイッチを提供することを目的とする。
【課題を解決するための手段】
【０００５】
本考案のプッシュオンスイッチは、収納スロットが形成される絶縁性本体と、該絶縁性本体に固定され、一対の外側接触部を含む第１固定端子と、中央接触部を含む第２固定端子と、可動端子と、水平方向に押圧操作する操作子と、押圧部と、絶縁性本体に取り付けられる蓋体と、を備える。可動端子は、一対の外側接触部を接触する側部と、中央接触部より上に配置される頂点部と、を有する。押圧部は、可動端子と操作子の間に配置され、操作子に押し込まれることによって、可動端子の頂点部を押圧できる。前記可動端子の頂点部は、操作子に押し込まれる押圧部が押圧されることによって、第２固定端子の中央接触部を接触する。
【考案の効果】
【０００６】
従来の技術に比較して本考案は以下の効果を有する。該プッシュオンスイッチの押圧部は、操作子に押し込まれて、可動端子の頂点部を押圧できる。これにより、操作子は、水平方向に沿って移動することしかを操作しない。これにより、不安定な操作を回避できる。
【考案を実施するための最良の形態】
【０００７】
以下、この考案の実施の形態を添付の図を参照して説明する。
【０００８】
図１〜図２を参照すると、該プッシュオンスイッチ１００は、収納スロット１５が形成される絶縁性本体１と、該絶縁性本体１の収納スロット１５に収納される第１固定端子２１と、第２固定端子２２と、可動端子３と、押圧部４と、操作子５と、絶縁性本体１に取り付ける蓋体６と、を備える。
【０００９】
図１および図２に示すように、絶縁性本体１は、底壁１１と、底壁１１から上向きに延在する前壁１２と、後壁１３と、一対の側壁１４と、を備える。前壁１２の中間には、開口部１６が形成される。前壁１２には、突出部１０２が、開口部１６より下に設けられる。後壁１３の中間には、定位スロット１７が形成される。前壁１２と後壁１３は、開口部１６の両側に設けられる一対の係合部１８と、定位スロット１７の両側に設けられる一対の係合部１８と、を含む。前壁１２と後壁１３の底部には、それぞれ長手方向に沿って延在する溝部１０１が形成される。
【００１０】
第１固定端子２１には、一対の外側接触部２１１が設けられる。第２固定端子２２には、中央接触部２２１が設けられる。第１、第２固定端子２１、２２には、それぞれ、絶縁性本体１から導出された一対の半田接続部２１２、２２２が設けられる。
【００１１】
ドーム状の可動端子３は、頂点部３１と、側部３２と、を備える。
【００１２】
押圧部４は、板状部４０と、板状部４０から上向きに傾斜する当接部４２と、板状部４０の下表面から下向きに突出する凸状部片４４と、板状部４０から下向きに折り曲げられる折り曲げ部４１と、を有する。折り曲げ部４１には、係合スロット４１１が形成される。
【００１３】
操作子５は、収納スロット１５に収納される本体部５０と、絶縁性本体１の開口部１６から外向きに延在する操作部５２と、本体部５０の後端に設けられる一対の突出部５３と、該対の突出部５３の間に設けられる中間部５１と、を有する。中間部５１には、第２斜面５４が形成される。
【００１４】
蓋体６は、矩形の頂壁６１と、頂壁６１から下向きに延在する複数の延在壁６２と、一対の延在壁６２の間に設けられる定位部６４と、を備える。各延在壁６２には、係合穴６３が形成される。
【００１５】
図３および図４に示すように、該プッシュオンスイッチ１００を取り付ける時、固定端子２は、絶縁性本体１の底壁１１に配置される。第２固定端子２２の中央接触部２２１は、第１固定端子２１の一対の外側接触部２１１の間に配置される。固定端子２の複数の半田接続部２１２，２２２は、絶縁性本体１から導出される。可動端子３は、固定端子２に配置される。可動端子３の側部３２が、第１固定端子２１の外側接触部２１１を接触し、頂点部３１が、第２固定端子２２の中央接触部２２１より上に位置する。操作子５の本体部５１が絶縁性本体１の収納スロット１５に収納される。操作子５の操作部５２は、開口部１６から外向きに延在する。押圧部４は、操作子５と可動端子３の間に装入される。押圧部４の凸状部片４４が、可動端子３の頂点部３１に位置し、係合スロット４１１が、絶縁性本体１の突出部１０２と係合し、当接部４２が、操作子５の中間部５１に当接し、第１斜面４３が第２斜面５４と接触する。最後、蓋体６は、絶縁性本体１に取り付ける。蓋体６の定位部６４が、絶縁性本体１の定位スロット１７に嵌め込まれる。蓋体６の係合穴６３は、絶縁性本体１の係合部１８と係合する。
【００１６】
一体にされたプッシュオンスイッチ１００の複数の半田接続部２１２、２２２は、回路基板（図示せず）に半田される。一対の溝部１０１は、半田接続部２１２、２２２が半田されて形成される溶接剤を収納する。これにより、溶接剤が開口部１６と定位スロット１７とからスイッチ１００の内側に入れることを回避できる。
【００１７】
図４に示すように、使用される時、操作子５は、加えられた操作力によって、水平方向に沿って後向きに押し込まれる。押圧部４は、当接部４２が操作子５に押し込まれることによって、下向きに移動する。押圧部４の凸状部片４４は、可動端子３の頂点部３１を下向きに押圧する。これにより、可動端子３の頂点部３１は、第２固定端子２２の中央接触部２２１と接触する。第１、第２固定端子２１，２２は、押圧される可動端子３によって電気接続される。
【００１８】
前記操作力を除くと、可動端子３は、自体の弾力によって、元の上方凸形状に復帰して、頂点部３１が第２固定端子２の中央接触部２２１から離れる。第１、第２固定端子２１、２２は、電気的独立状態に戻る。その過程で、押圧部４は上向きに移動して、操作子５は水平方向に沿って元の位置まで移動する。
【００１９】
該プッシュオンスイッチ１００が操作する時、水平方向に沿って移動することしかを操作しない。これにより、安定な操作を得られる。
【００２０】
以上、本考案について、最良の実施の形態を参照して詳細に説明したが、実施形態はあくまでも例示的なものであり、これらに限定されるものではない。また前記の説明は、本考案に基づきなし得る細部の修正或は変更など、いずれも本考案の実用新案登録請求の範囲に属するものである。
【図面の簡単な説明】
【００２１】
【図１】本考案のプッシュオンスイッチの分解斜視図である。
【図２】図１に示すプッシュオンスイッチの別の分解斜視図である。
【図３】図１に示すプッシュオンスイッチの組合せ斜視図である。
【図４】図３に示す操作子が操作しない時のプッシュオンスイッチのＩＶ−ＩＶ線切断断面図である。
【符号の説明】
【００２２】
１  絶縁性本体
２  固定端子
３  可動端子
４  押圧部
５  操作子
６  蓋体
１１  底壁
１２  前壁
１３  後壁
１４  側壁
１５  収納穴
１６  開口部
１７  定位スロット
１８  係合部
１９  定位柱
２１  第１固定端子
２２  第２固定端子
３１  頂点部
３２  側部
４０  板状部
４１  折り曲げ部
４２  当接部
４３  第１斜面
４４  凸状部片
５１  本体部
５１  中間部
５２  操作部
５３  突出部
５４  第２斜面
６１  頂壁
６２  延在壁
６３  係合穴
６４  定位部
１００  プッシュオンスイッチ
１０１  溝部
１０２  突出部
２１１  外側接触部
２１２、２２２  半田接続部
２２１  中央接触部
４１１  係合スロット
【図１】
0003131075.tif 000003
【図２】
0003131075.tif 000004
【図３】
0003131075.tif 000005
【図４】
0003131075.tif 000006